(57)【要約】【課題】魚等の食材を焼く場合、照明装置により扉の窓から筐体内に明かりを照らし、焼け具合を確認することができる加熱調理器を提供すること。【解決手段】筐体３１の前面を覆う扉３２の前面に照明装置４０を設けた構成とすることによって、魚等の食材を焼く場合、照明装置４０により扉３２の窓から筐体３１内に明かりを照らし、焼け具合を確認することとなる。【選択図】図１
2008128510.tif 000002
【特許請求の範囲】
【請求項１】
被調理物を載置する焼き網と、前記焼き網を収納する受皿と、前記焼き網と前記受皿と前記被調理物を収納する筐体と、前記被調理物を上方から加熱する上ヒーターと、前記被調理物を下方から加熱する下ヒーターとを設け、前記筐体の前面を覆う扉の前面に照明装置を設けた加熱調理器。
【請求項２】
筐体の前面を覆う扉に設けた把手に照明装置を内蔵した請求項１に記載の加熱調理器。
【請求項３】
筐体の前面を覆う扉に設けた把手に着脱自在な照明装置を設けた請求項１に記載の加熱調理器。
【請求項４】
照明装置のスイッチは一定時間動作し、その後通電を遮断する構成である請求項１に記載の加熱調理器。
【請求項５】
防水構造を有する照明装置を設けた請求項１に記載の加熱調理器。
【発明の詳細な説明】
【技術分野】
【０００１】
本発明は庫内に入れた食材を焼く加熱調理器に関するものである。
【背景技術】
【０００２】
従来、この種の魚等を焼く加熱調理器は、筐体中に上ヒーター、下ヒーター、受け皿、焼き網を設け、筐体内に設けた温度センサーで上下ヒーターの制御や調理の出来上がりを検知、または、タイマーで調理時間を設定するのが一般的に行われている。魚等の食材を焼く場合、途中で焼け具合を確認する筐体内を照射するランプを備えたものがある（例えば、特許文献１参照）。
【０００３】
図３は、特許文献１に記載された従来の加熱調理器の庫内照明装置を示すものである。図３に示すように、照明灯１９は取付け枠１４内にあり、取付け枠１４は加熱庫の壁面６に透明板９を間に挟んで固定される。
【特許文献１】実開昭５９−４１８０７号公報
【発明の開示】
【発明が解決しようとする課題】
【０００４】
しかしながら、前記従来の構成では、筐体の上または側面に耐熱ガラスの窓を設け、窓を通してランプの光を筐体内に照射しており、調理時の油煙等で耐熱ガラスの窓が汚れた場合、窓の清掃が困難で大変であるという課題を有していた。
【０００５】
本発明は、前記従来の課題を解決するもので、筐体の前面を覆う扉の前面に照明装置を設けた構成により、魚等の食材を焼く場合、照明装置により扉の窓から筐体内に明かりを照らし、焼け具合を確認することができる。また、油煙により、扉のガラスが汚れた場合は、容易に清掃できる加熱調理器を提供することを目的とする。
【課題を解決するための手段】
【０００６】
前記従来の課題を解決するために、本発明の加熱調理器は、被調理物を載置する焼き網と、前記焼き網を収納する受皿と、前記焼き網と前記受皿と前記被調理物を収納する筐体と、前記被調理物を上方から加熱する上ヒーターと、前記被調理物を下方から加熱する下ヒーターとを設け、前記筐体の前面を覆う扉の前面に照明装置を設けた構成とすることによって、魚等の食材を焼く場合、照明装置により扉の窓から筐体内に明かりを照らし、焼け具合を確認することができる。また、油煙により、扉のガラスが汚れた場合は、容易に清掃できる。
【発明の効果】
【０００７】
本発明の加熱調理器は、照明装置により扉の窓から筐体内に明かりを照らし、焼け具合を確認することができる。
【発明を実施するための最良の形態】
【０００８】
第１の発明は、被調理物を載置する焼き網と、前記焼き網を収納する受皿と、前記焼き網と前記受皿と前記被調理物を収納する筐体と、前記被調理物を上方から加熱する上ヒーターと、前記被調理物を下方から加熱する下ヒーターとを設けた構成とすることにより、照明装置により扉の窓から筐体内に明かりを照らし、焼け具合を確認することができる。また、油煙により、扉のガラスが汚れた場合は、容易に清掃できる。
【０００９】
第２の発明は、筐体の前面を覆う扉に設けた把手に照明装置を内蔵した構成とすることにより、照明装置が扉の前面に飛び出すことがない。
【００１０】
第３の発明は、照明装置が筐体の前面を覆う扉に設けた把手に着脱自在である構成とすることにより、照明装置をはずした状態で扉を丸洗いすることができる。
【００１１】
第４の発明は、照明装置のスイッチは一定時間動作し、その後通電を遮断する構成とすることにより、照明装置の操作が容易となり、照明のつけ忘れもない。
【００１２】
第５の発明は、照明装置を防水構造とすることにより、照明装置に油煙や水が浸入することがなく、耐久性が向上する。
【００１３】
以下、本発明の実施の形態について、図面を参照しながら説明する。なお、この実施の形態によって本発明が限定されるものではない。
【００１４】
（実施の形態１）
図１、図２は、本発明の第１の実施の形態における加熱調理器の構成を示す図である。図１において、加熱調理器は、被調理物を載置する焼き網３７と、焼き網３７を収納する受皿３６と、焼き網３７と受皿３６と被調理物を収納する筐体３１と、被調理物を上方から加熱する上ヒーター３４と、被調理物を下方から加熱する下ヒーター３５とを設け、筐体３１の前面は扉３２が設けられ、扉３２にはハンドル３３が付いている。扉３２のハンドル３３内にはＬＥＤ３８、電池３９、スイッチ４０から成る照明装置４１が着脱自在に設置されている。ＬＥＤ３８は反射板ケース４２に収まり、筐体３１の内面を照らすように扉３２のガラス面３２ａの上端に設置される。電池３８は電池収納部に収まり、上フタ４３を外すことにより取替え可能である。実施の形態１ではＬＥＤを用いた照明装置を説明したが、ＬＥＤの替わりに小型ランプや小型蛍光管を用いても良い。
【００１５】
以上のように構成された加熱調理器について、以下その動作、作用を説明する。
【００１６】
まず、魚等の食材を加熱調理する時、食材の焼け具合を確認するには、スイッチ４０を押すとＬＥＤ３８が点灯し筐体３１内が照射され、食材の表面の焼け具合を見ることができる。スイッチ４０はタイマーにより一定時間後自動的に通電が遮断される。照明装置４１は、ハンドル３３の内部に収納されており、扉３２のガラス面３２ａを覆うことがなく、ガラス面３２ａからＬＥＤ３７で照射された筐体３１内部が見やすい。また、照明装置４１は着脱自在であり、扉３２を外して清掃する際は照明装置４１を外して扉３２を水洗いすることができる。また、照明装置４１を防水構造にすることによって、油煙や水が浸入することがなく、耐久性が向上する。
【産業上の利用可能性】
【００１７】
以上のように、本発明にかかる加熱調理器は、照明装置により扉の窓から筐体内に明かりを照らし、焼け具合を確認することが可能となるので、電子レンジ等の用途にも適用できる。
【図面の簡単な説明】
【００１８】
【図１】本発明の実施の形態１における加熱調理器の断面図
【図２】本発明の実施の形態１における加熱調理器の斜視図
【図３】従来の加熱調理器の照明装置を示す断面図
【符号の説明】
【００１９】
３１  筐体
３２  扉
３３  ハンドル
３４  上ヒーター
３５  下ヒーター
３６  受け皿
３７  焼き網
４１  照明装置
【図１】
2008128510.tif 000003
【図２】
2008128510.tif 000004
【図３】
2008128510.tif 000005